(57)【要約】      （修正有）【課題】リモートコントローラの設置状態に応じて、制御部が標準状態と反転状態とを切り替えるだけで、異なる設置状況に対しても使用者が操作しやすい衛生洗浄装置用のリモートコントローラを提供する。【解決手段】便器８００に設置された衛生洗浄装置１００に対する動作指示を行うために、便器８００が設置されたトイレルームの壁面Ｗに取り付けられる衛生洗浄装置１００用のリモートコントローラ１であって、制御部は、第１操作部が操作されると前進指示が送信され、第２操作部が操作されると後退指示が送信される標準状態と、第１操作部が操作されると後退指示が送信され、第２操作部が操作されると前進指示が送信される反転状態と、を切替可能である。【選択図】図１
2014190113.tif 000002
【特許請求の範囲】
【請求項１】
便器に設置された衛生洗浄装置に対する動作指示を行うために、前記便器が設置されたトイレルームの壁面に取り付けられる衛生洗浄装置用のリモートコントローラであって、
前記リモートコントローラは、前記衛生洗浄装置に内蔵された洗浄ノズルの前記便器内への進出位置を指示するために、使用者によって操作される前後方向に並べて配置された第１操作部及び第２操作部と、この第１操作部と第２操作部との操作に基づいて前記衛生洗浄装置への動作信号を送信する制御部と、を備え、
前記制御部は、前記第１操作部が操作されると前進指示が送信され、前記第２操作部が操作されると後退指示が送信される標準状態と、前記第１操作部が操作されると前記後退指示が送信され、前記第２操作部が操作されると前記前進指示が送信される反転状態と、を切替可能であることを特徴とする衛生洗浄装置用のリモートコントローラ。
【発明の詳細な説明】
【技術分野】
【０００１】
本発明は、トイレルーム壁面などに配置される衛生洗浄装置用のリモートコントローラ関する。
【背景技術】
【０００２】
従来、トイレルームに設置された衛生洗浄装置に備わる種々の機能を遠隔操作によって作動させるために、トイレルームの壁面などにリモコン（リモートコントローラ）が配置されている。また、従来、衛生洗浄装置用のリモコンには、使用者の意思で人体の洗浄ポイントを調整可能とするためにノズルの進出位置を調整するスイッチ機能が備えられている。このスイッチ機能の手段として、ノズル位置調整操作部が設けられている（特許文献１参照）。
【０００３】
特許文献１には、ノズル位置調整操作部は、ノズルの進出方向に１つの操作部とノズルの収納方向に１つの操作部というように合計２つの操作部から構成され、それらが隣り合うように配置されているリモコンが開示されている。
【０００４】
一般的に衛生洗浄装置用のリモコンは、使用者の着座時における右側の壁面に設置されることが多いため、これを想定して設計されていた。このため、使用者の着座時における右側の壁面に衛生洗浄装置のリモコンを設置した場合、ノズルを前進させるためのノズル前進操作部をノズルの進出方向に配置、ノズルを後退させるためのノズル後退操作部をノズルの収納方向に配置している。これにより、使用者がノズルの進出位置を前方に動かしたいと思い、ノズル前進操作部を操作する場合、ノズルを前進させる方向にノズル前進操作部が配置され、ノズルの進出位置を後方に動かしたいと思い、ノズル後退操作部を操作する場合、ノズルを後退させる方向にノズル後退操作部が配置されていた。すなわち、着座時に使用者からみたときに、ノズルが前後する方向と、操作部が配置されている方向が一致しているため、使用者にとって操作しやすい設計となっていた。
【先行技術文献】
【特許文献】
【０００５】
【特許文献１】特開２００５−２０４２７０号公報
【発明の概要】
【発明が解決しようとする課題】
【０００６】
しかしながら、設置現場の状態や使用者のニーズによっては、使用者の着座時における左側の壁面に衛生洗浄装置用のリモコンを設置する場合がある。このような場合、従来の衛生洗浄装置用のリモコンでは、ノズル前進操作部およびノズル後退操作部の配置は変更されていないため、使用者からみたときに、ノズルの進出方向にノズル後退操作部があり、ノズルの収納方向にノズル前進操作部がある。そのため、使用者がノズルの進出位置を調整するために、ノズル調整位置操作部を操作する際に、操作部の操作を誤ってしまい、思っていた方向とは反対の方向にノズルが移動してしまうという問題があった。そのため、使用者にとって操作しやすくするためには、右側の壁面設置用と、左側の壁面設置用のリモコンをそれぞれ用意する必要があった。
【０００７】
本発明は、上記のような事情に鑑みてなされたものであって、リモートコントローラの設置状態に応じて、制御部が標準状態と反転状態とを切り替えるだけで、異なる設置状況に対しても使用者が操作しやすい衛生洗浄装置用のリモートコントローラを提供することを目的とする。
【課題を解決するための手段】
【０００８】
本発明に係る衛生洗浄装置用のリモートコントローラは、便器に設置された衛生洗浄装置に対する動作指示を行うために、前記便器が設置されたトイレルームの壁面に取り付けられる衛生洗浄装置用のリモートコントローラであって、前記リモートコントローラは、前記衛生洗浄装置に内蔵された洗浄ノズルの前記便器内への進出位置を指示するために、使用者によって操作される前後方向に並べて配置された第１操作部及び第２操作部と、この第１操作部と第２操作部との操作に基づいて前記衛生洗浄装置への動作信号を送信する制御部と、を備え、前記制御部は、前記第１操作部が操作されると前進指示が送信され、前記第２操作部が操作されると後退指示が送信される標準状態と、前記第１操作部が操作されると前記後退指示が送信され、前記第２操作部が操作されると前記前進指示が送信される反転状態と、を切替可能であることを特徴とする。
これにより、衛生洗浄装置用リモートコントローラの設置状態に応じて、制御部が標準状態と反転状態とを切り替えることができる。よって、異なる設置状況に対しても、共通の衛生洗浄装置用リモートコントローラを用いて、使用者の操作を容易にすることができる。
【発明の効果】
【０００９】
本発明によれば、衛生洗浄装置用リモートコントローラの設置状態に応じて、制御部が標準状態と反転状態とを切り替えるだけで、異なる設置状況に対しても使用者が操作しやすい衛生洗浄装置用リモートコントローラを提供することができる。
【図面の簡単な説明】
【００１０】
【図１】本実施形態に係る衛生洗浄装置用リモートコントローラを備えたトイレルームの斜視図である。
【図２】本実施形態に係る衛生洗浄装置用リモートコントローラを示す斜視図である。
【図３】本実施形態に係る衛生洗浄装置用リモートコントローラを示す背面図である。
【図４】本実施形態に係る衛生洗浄装置用リモートコントローラを示す拡大図である。
【図５】本実施形態に係るハンガーを示す斜視図である。
【図６】着座時の使用者からみて壁面の右側に本実施形態に係る衛生洗浄装置用リモートコントローラを取り付けた状態の模式図である。
【図７】着座時の使用者からみて壁面の左側に本実施形態に係る衛生洗浄装置用リモートコントローラを取り付けた状態の模式図である。
【図８】本実施形態に係る衛生洗浄装置用リモートコントローラの背面操作部の操作例を示す模式図である。
【発明を実施するための形態】
【００１１】
以下、本実施形態にかかる局所洗浄便座操作用リモコンについて図面に基づいて説明する。図１は、本実施形態に係る衛生洗浄装置用リモートコントローラを備えたトイレルームの斜視図である。図２は、本実施形態に係る衛生洗浄装置用リモートコントローラを示す斜視図である。図３は、本実施形態に係る衛生洗浄装置用リモートコントローラを示す背面図であり、図４は、本実施形態に係る衛生洗浄装置用リモートコントローラを示す拡大図である。
なお、本実施形態に係るリモートコントローラは、本願明細書においては、壁面に取付けた状態のリモートコントローラの上側を天面、壁面に相対する面を背面、壁面の反対側に位置する面を正面として説明する。
【００１２】
図１に示すように、本実施形態に係るリモートコントローラ１は、トイレルームの壁面Ｗに取り付けられ、トイレルームに設置された衛生洗浄装置１００を操作するための衛生洗浄装置用リモートコントローラである。
【００１３】
ここで、衛生洗浄装置１００は、便器８００の上面に設置されており、ケーシング４００と、便座２００と、便蓋３００と、を有する。便座２００および便蓋３００は、ケーシング４００に対して開閉自在にそれぞれ軸支されている。
ケーシング４００の内部には、便座２００に座った使用者の「おしり」の洗浄（おしり洗浄）や女性局部の洗浄（ビデ洗浄）などを実現する身体洗浄機能部などが内蔵されている。なお、図１に表した衛生洗浄装置１００では、洗浄ノズル４１０がボウル８０１内に進出した状態を表している。
【００１４】
図２に示すように、リモートコントローラ１は、ケース２の内部に基板を隠蔽した構成である。ケース２の正面および天面に、各種動作を入力するための正面釦３および天面釦７が設けられている。また、リモートコントローラ１は、赤外線によって衛生洗浄装置１００に対する指示情報を送信するものであり、ケース２の天面には、赤外線発光素子からの送信信号を透過する材質からなる送信窓１０が送信部として設けられている。なお、基板には、使用者による正面釦３および天面釦７に対する操作を検出するためのスイッチ（接点）と、このスイッチからの情報に基づいて、衛生洗浄装置１００へ送信する指示信号を生成する制御部（マイクロコンピュータ）とが実装されている。
【００１５】
本実施形態では、正面釦３は、６つの機能をもつ正面釦３Ａから３Ｆにより構成されている。正面釦３Ａは、各種動作の停止指示を行うためのものである。正面釦３Ｂは、おしり洗浄か、おしり洗浄よりもやわらかい洗浄であるソフト洗浄かを切替えるためのものであり、正面釦３Ｃは、ビデ洗浄かワイドビデ洗浄かを切替えるためのものである。正面釦３Ｄは、洗浄ノズル４１０（図１参照）から吐水される水の勢いの強弱を調整するためのものであり、正面釦３Ｅは、洗浄位置の調整、すなわち洗浄ノズル４１０の進出位置の調整を行うためのものである。正面釦３Ｆは、使用者のおしりを乾燥するためのものである。
【００１６】
また、天面釦７は、便座２００および便蓋３００の開閉を指示するための操作釦や、便器洗浄を実行するための操作釦である。
使用者は、これらの正面釦３および天面釦７を操作することで、衛生洗浄装置１００に各種動作を指示することができる。
【００１７】
図３に示すように、リモートコントローラ１は、その背面に、リモートコントローラ１の設定を行うための背面操作部２０と、乾電池を覆うための乾電池蓋４０と、リモートコントローラ１を壁面Ｗに取り付けるための取付凹部３０と、を有している。
【００１８】
背面操作部２０は、図４に示すように、設定状態の表示や設定状態の変更を行うための表示部２１と、設定状態を選択するための選択釦２２と、選択を決定するための決定釦２３と、メニュー釦２４と、温度を表示するための温度釦２５を備えている。
【００１９】
乾電池蓋４０は、リモートコントローラ１の電源となる乾電池を覆うためのものである。乾電池を交換する際は、この乾電池蓋４０を矢印（図３参照）に沿って、リモートコントローラ１の下方にスライドさせることで、乾電池蓋４０を開ける。乾電池を交換した後は、乾電池蓋４０を矢印とは反対の向きに沿ってリモートコントローラ１の上方へとスライドさせることで、乾電池蓋４０を閉じる。
【００２０】
取付凹部３０は、ハンガー５０の突起部５２に対応する位置に形成されている。
【００２１】
ここで、壁面Ｗにリモートコントローラ１を取り付ける手順を説明する。
リモートコントローラ１は、ハンガー５０によって壁面Ｗに取り付けられる。
ハンガー５０は、図５に示すように、壁面Ｗにハンガー５０を固定するためのネジ穴５１を３つと、リモートコントローラ１を取り付けるための突起部５２をハンガー５０の左右両端にそれぞれ有している。
【００２２】
まず、リモートコントローラ１を取り付けたい壁面Ｗの位置にハンガー５０を固定する。固定する方法は、上述したように、ネジ穴５１にネジをねじ込むことでハンガー５０は壁面Ｗに固定される。そして、リモートコントローラ１を、壁面Ｗに固定されたハンガー５０に対し、上方から鉛直方向に沿ってスライドさせる。その際に、リモートコントローラ１の取付凹部３０にハンガー５０の突起部５２が挿入されるようにスライドさせる。これにより、ハンガー５０にリモートコントローラ１が取り付けられる。その結果、壁面Ｗにリモートコントローラ１を取り付けることができる。
なお、左右とは、壁面Ｗにハンガー５０または、リモートコントローラ１を取り付けた状態での水平方向における左右を指している。
【００２３】
次に、リモートコントローラ１の操作例について、図６および図７を用いて説明する。
図６は、着座時の使用者からみて壁面の右側にリモートコントローラを取り付けた状態を示している。図７は、着座時の使用者からみて壁面の左側にリモートコントローラを取り付けた状態を示している。
【００２４】
図６に示すように、着座時の使用者６０からみて壁面Ｗの右側にリモートコントローラ１を取り付けた状態で、おしり洗浄を行うための正面釦３Ｂを操作すると、ケーシング４００に内蔵された洗浄ノズル４１０が便器８００のボウル８０１内に向かって所定位置まで進出する。その後、リモートコントローラ１の正面釦３Ｅを操作すると、所定位置まで進出している洗浄ノズル４１０の前後方向の位置を調整することができる。正面釦３Ｅは、前後方向に並べて配置された第１操作部３１と、第２操作部３２とで構成されている。
【００２５】
例えば、正面釦３Ｅの第１操作部３１を操作すると、所定位置まで進出している洗浄ノズル４１０を、その所定位置より更に便器８００のボウル８０１内へと向かって前進させることができる。また、正面釦３Ｅの第２操作部３２を操作すると、所定位置まで進出している洗浄ノズル４１０を、その所定位置よりケーシング４００側へと向かって後退させることができる。
このように、正面釦３Ｅの第１操作部３１が操作されると衛生洗浄装置１００に洗浄ノズル４１０の前進指示が送信され、正面釦３Ｅの第２操作部３２が操作されると衛生洗浄装置１００に洗浄ノズル４１０の後退指示が送信される状態を標準状態とよぶ。
【００２６】
しかしながら、図７に示すように、着座時の使用者６０からみて壁面Ｗの左側にリモートコントローラ１を取り付けた状態で、洗浄位置の調整、すなわち洗浄ノズル４１０の進出位置の調整を行うと、使用者が６０意図していた進出位置とは異なる位置に洗浄位置を調整してしまうことがある。
【００２７】
例えば、使用者６０が洗浄ノズル４１０を前進させたいと考え、自分からみて前進方向となる正面釦３Ｅの第２操作部３２を操作すると、所定位置まで進出している洗浄ノズル４１０がその所定位置よりもケーシング４００側へと後退してしまう。また、使用者６０が洗浄ノズル４１０を後退させたいと考え、自分からみて後退方向となる正面釦３Ｅの第１操作部３１を操作すると、所定位置まで進出している洗浄ノズル４１０がその所定位置よりも便器８００のボウル８０１内へと前進してしまう。すなわち、使用者６０が意図していた方向とは、反対側へと洗浄ノズル４１０が移動してしまう。
なお、図６および図７において、９００は、トイレ装置であり、トイレ装置は、衛生洗浄装置１００と、便器８００とを備えている。
【００２８】
そこで、本実施形態では、背面操作部２０を操作することで制御部が標準状態と、反転状態とを切替え可能としている。
背面操作部２０の操作の一例について、図８を用いて説明する。図８は、背面操作部の操作例を示しており、図８（ａ）は、設定状態が標準状態である場合のメニュー画面の表示を示している。図８（ｂ）は、設定状態が反転状態である場合のメニュー画面の表示を示している。図８（ｃ）は、設定状態を反転状態に設定した場合のメニュー画面の表示を示している。
【００２９】
メニュー釦２４を操作すると、各種設定を行うためのメニュー画面が表示され、そのメニュー画面を上下方向の選択釦２２を操作することで、図８（ａ）に示すように、表示部２１に「位置ＳＷ方向切替」というメニューが表示される。図８（ａ）では、設定状態としては「切」となっている。ここで、位置ＳＷ方向切替が「切」とは、着座時の使用者６０からみて壁面Ｗの右側にリモートコントローラ１を取り付けた場合に適した標準状態となっていることを示している。
【００３０】
次に、選択釦２２のうち、左矢印または右矢印の選択釦２２を押すと、図８（ｂ）に示すように、表示部２１に位置ＳＷ方向切替が「入」と表示される。ここで、位置ＳＷ方向切替が「入」とは、着座時の使用者６０からみて壁面Ｗの左側にリモートコントローラ１を取り付けた場合に適した反転状態に設定されることを示している。反転状態とは、正面釦３Ｅの第１操作部３１が操作されると衛生洗浄装置１００に洗浄ノズル４１０の後退指示が送信され、正面釦３Ｅの第２操作部３２が操作されると衛生洗浄装置１００に洗浄ノズル４１０の前進指示が送信される状態のことである。
【００３１】
続いて、決定釦２３を操作すると、図８（ｃ）に示すように、位置ＳＷ方向切替が「入」に設定されたことが、基板の制御部に内蔵されている不揮発性メモリに格納される。このため、乾電池の入れ替えなどで制御部への給電が停止されたとしても、この設定は維持される。そして、この設定以降は、使用者６０が正面釦３Ｅの第２操作部３２を操作すると、洗浄ノズル４１０を便器８００のボウル８０１内へと前進させる信号が送信される。また、使用者６０が正面釦３Ｅの第１操作部３１を操作すると、洗浄ノズル４１０がケーシング４００側へと後退する信号が送信される。そのため、着座時の使用者からみたときに、洗浄ノズル４１０が前後する方向と、第１操作部および第２操作部が配置されている方向が一致し、使用者がリモートコントローラ１を容易に操作することができる。
【００３２】
このように、リモートコントローラの設置状態に応じて、背面操作部２０を操作するだけで、制御部は標準状態と反転状態とを切り替えることができる。よって、異なる設置状況に対しても、共通の衛生洗浄装置用リモートコントローラを用いて、使用者の操作を容易にすることができる。
【００３３】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【００３４】
例えば本実施形態では、図８に示すように、背面操作部２０を操作することで、制御部が標準状態と反転状態とを切り替える形態について説明したが、切替釦を設け、その切替釦をオン・オフさせることで、制御部が標準状態と反転状態とを切り替えてもよい。
【００３５】
また、図８に示す例では、メニュー釦２４を操作することで、表示部２１に「位置ＳＷ方向切替」というメニューを表示させていたが、「位置ＳＷ方向切替」というメニューは、主に、施工者が使用するものなので、特殊な操作をすることで表示させるようにしてもよい。例えば、正面釦３Ａと正面釦３Ｂを同時に１０秒以上操作することで「位置ＳＷ方向切替」というメニューを表示させるようにしてもよい。
【符号の説明】
【００３６】
１  リモートコントローラ
３  正面釦
３１  第１操作部
３２  第２操作部
２０  背面釦
２１  表示部
２２  選択釦
２３  決定釦
２４  メニュー釦
１００  衛生洗浄装置
２００  便座
３００  便蓋
４００  ケーシング
４１０  洗浄ノズル
８００  便器
【図１】
2014190113.tif 000003
【図２】
2014190113.tif 000004
【図３】
2014190113.tif 000005
【図４】
2014190113.tif 000006
【図５】
2014190113.tif 000007
【図６】
2014190113.tif 000008
【図７】
2014190113.tif 000009
【図８】
2014190113.tif 000010